(57)【要約】【課題】再プリントにおける赤目補正処理を良好な操作性で効率よく行える赤目補正方法、および、これを実施する画像処理装置を提供する。【解決手段】原画像データを画像処理して出力用画像データを生成して出力した際に、原画像データおよび／または出力用画像データを記憶手段に記憶し、先に出力した画像の赤目補正を指示された際に、対応する原画像データもしくは出力用画像データを記憶手段から読み出し、赤目補正処理を施して、再度、出力用画像データを生成することにより、前記課題を解決する。【選択図】図３
2004096439.tif 000002
【特許請求の範囲】
【請求項１】
原画像データを画像処理して出力用画像データを生成して出力した際に、この原画像データおよび出力用画像データの少なくとも一方を記憶手段に記憶しておき、先に出力した出力用画像データの画像の赤目補正を指示された際に、対応する原画像データもしくは出力用画像データを前記記憶手段から読み出して、この画像データに赤目補正処理を施して、再度、出力用画像データを生成することを特徴とする赤目補正方法。
【請求項２】
供給された原画像データに画像処理を施して、出力用画像データを生成して出力する画像処理装置であって、
先に出力した出力用画像データにかかる画像の識別情報に対応付けして、原画像データおよび出力用画像データの少なくとも一方を記憶する記憶手段と、
先に出力した出力用画像データの画像の赤目補正を指示された際に、前記画像の識別情報を用いて、前記記憶手段から赤目補正を指示された画像の原画像データもしくは出力用画像データを読み出し、赤目の補正処理を行う赤目補正手段とを有することを特徴とする画像処理装置。
【請求項３】
処理モードとして、赤目補正を行うモードが設定されており、
このモードの際には、前記赤目補正手段は、前記識別情報を用いた画像の呼び出し指示を、この画像に対する赤目補正指示として、自動的に、この画像の原画像データもしくは出力用画像データに赤目補正処理を実施する請求項２に記載の画像処理装置。
【請求項４】
前記赤目補正手段による赤目補正後の画像、あるいはさらに、この赤目補正後の画像と共に赤目補正前の画像を表示する、表示手段を有する請求項２または３に記載の画像処理装置。
【発明の詳細な説明】
【０００１】
【発明の属する技術分野】
本発明は、画像処理による赤目補正の技術分野に属し、詳しくは、再プリント時等における赤目の補正を効率よく行うことを可能にする赤目補正方法、および、この赤目補正方法を実施する画像処理装置に関する。
【０００２】
【従来の技術】
現在、ネガフィルム、リバーサルフィルム等の写真フィルム（以下、フィルムとする）に撮影された画像の感光材料（印画紙）への焼き付けは、フィルムの画像を感光材料に投影して露光する、いわゆる直接露光が主流である。
これに対し、近年では、フィルムに記録された画像を光電的に読み取って、読み取った画像をデジタル信号とした後、種々の画像処理を施して記録用の画像データとし、この画像データに応じて変調した記録光によって感光材料を露光してプリントとして出力するデジタルフォトプリンタが実用化されている。
【０００３】
デジタルフォトプリンタは、基本的に、フィルムに記録された画像を光電的に読み取るスキャナ（画像読取装置）、および、スキャナが読み取った画像データに画像処理を施して出力のための画像データとする画像処理装置を有する入力機と、画像処理装置から出力された画像データに応じて、例えば光ビーム走査によって感光材料を露光して潜像を記録し、現像処理を施して（仕上り）プリントとする出力機（プリンタ／プロセサ）とから構成される。
【０００４】
デジタルフォトプリンタは、フィルムに撮影された画像を光電的に読み取って、画像をデジタルの画像データとして、画像の処理や感光材料の露光を行う。そのため、フィルムに撮影された画像のみならず、デジタルカメラ等で撮影された画像（画像データ）からも、プリントの作成を行うことができる。
また、画像データ処理による画像の処理を行うので、非常に好適に色や濃度を補正できるばかりか、階調補正やシャープネス処理（鮮鋭度強調処理）等、通常の直接露光のプリンタでは基本的に不可能な画像処理を行って、高画質な画像を得ることができる。
さらに、デジタルフォトプリンタでは、プリントのみならず、画像データを画像ファイルとしてＣＤ−Ｒ等の記録媒体に出力することも行われている。
【０００５】
ところで、ポートレート等の人物を含む画像において、画質を左右する最も重要な要素は人物の仕上りである。従って、撮影時のストロボ発光の影響によって、人物の目（瞳）が赤になる赤目現象は重大な問題となる。
直接露光のフォトプリンタでは、赤目を修正するためには、色材等を用いてフィルムを修正する必要があり、すなわち、技術を有するオペレータが手間と時間をかけて修正を行う。そのため、同時プリントなどの場合には、赤目の修正は、実質的に不可能である。
【０００６】
これに対して、デジタルフォトプリンタにおいては、フィルムには何ら手を加えることなく、画像解析および画像データの処理によって赤目の補正を行うことができる。例えば、オペレータによる切り出しや位置指定、画像解析を利用する自動抽出等によって、赤目となっている瞳を検出し、その瞳（その画像データ）を色変換して赤目を修正することで、赤目の補正処理が行われる。
【０００７】
【発明が解決しようとする課題】
ここで、赤目補正の機能を搭載したデジタルフォトプリンタを利用するプリント業者では、同時プリントの際の検品などで赤目が発見されれば、そのプリントはＮＧプリントとしてそのコマのリメイク（焼き直し）を行い、赤目を補正したプリントを顧客に提供するのが通常である。また、顧客の要望に応じたリプリント（焼き増し）の際に、赤目の補正を依頼される場合もある。
デジタルフォトプリンタでは、このようなリメイクやリプリント（以下、両者をまとめて再プリントとする）で赤目を補正する際にも、前述のスキャナでフィルムを光電的に読み取って、同時プリントにおけるプリント出力と全く同様の処理を行って、かつ、赤目補正処理を行う必要がある。
【０００８】
すなわち、デジタルフォトプリンタにおいて、赤目補正処理を行うための再プリントは、一度、プリントを出力したコマに対して、通常のプリント出力等と全く同様の作業を行う必要あり、操作性および効率が悪く、生産性を低下させる一因となっている。
【０００９】
本発明の目的は、前記従来技術の問題点を解決することにあり、リメイクやリプリントなどの再プリントにおける赤目補正処理を、再度のフィルムの読み取り等を行うことなく、良好な操作性で効率よく行うことができる赤目補正方法、および、この赤目補正方法を実施する画像処理装置を提供することにある。
【００１０】
【課題を解決するための手段】
前記課題を解決するために、本発明の赤目補正方法は、画像データを画像処理して出力用画像データを生成して出力した際に、この原画像データおよび出力用画像データの少なくとも一方を記憶手段に記憶しておき、先に出力した出力用画像データの画像の赤目補正を指示された際に、対応する原画像データもしくは出力用画像データを前記記憶手段から読み出して、この画像データに赤目補正処理を施して、再度、出力用画像データを生成することを特徴とする赤目補正方法を提供する。
【００１１】
また、本発明の画像処理装置は、供給された原画像データに画像処理を施して、出力用画像データを生成して出力する画像処理装置であって、先に出力した出力用画像データにかかる画像の識別情報に対応付けして、原画像データおよび出力用画像データの少なくとも一方を記憶する記憶手段と、先に出力した出力用画像データの画像の赤目補正を指示された際に、前記画像の識別情報を用いて、前記記憶手段から赤目補正を指示された画像の原画像データもしくは出力用画像データを読み出し、赤目の補正処理を行う赤目補正手段とを有することを特徴とする画像処理装置を提供する。
【００１２】
このような本発明において、処理モードとして、赤目補正を行うモードが設定されており、このモードの際には、前記赤目補正手段は、前記識別情報を用いた画像の呼び出し指示を、この画像に対する赤目補正指示として、自動的に、この画像の原画像データもしくは出力用画像データに赤目補正処理を実施するのが好ましく、さらに、前記赤目補正手段による赤目補正後の画像、あるいはさらに、この赤目補正後の画像と共に赤目補正前の画像を表示する、表示手段を有するのが好ましい。
【００１３】
【発明の実施の形態】
以下、本発明の赤目補正方法および画像処理装置について、添付の図面に示される好適実施例を基に詳細に説明する。
【００１４】
図１に、本発明の赤目補正方法を実施する本発明の画像処理装置を利用するデジタルフォトプリンタの一例のブロック図が示される。
【００１５】
図１に示されるデジタルフォトプリンタ１０（以下、フォトプリンタ１０とする）は、（写真）フィルムＦに撮影された画像を光電的に読み取り、あるいは、デジタルカメラ等で撮影された画像の画像データ（画像ファイル）を取得して、（写真）プリントとして出力するもので、基本的に、スキャナ１２と、本発明にかかる画像処理装置１４と、プリンタ２２とを有して構成される。
【００１６】
スキャナ１２は、フィルムＦの各コマに撮影された画像を光電的に読み取る装置で、図２の概念図に示すように、光源２４、ドライバ２６、拡散ボックス２８、キャリア３０、結像レンズユニット３２、読取部３４、アンプ（増幅器）３６、およびＡ／Ｄ（アナログ／デジタル）変換器３８を有して構成される。
【００１７】
図示例のスキャナ１２において、光源２４は、ＬＥＤ（Ｌｉｇｈｔ　Ｅｍｉｔｔｉｎｇ　Ｄｉｏｄｅ）を利用するもので、Ｒ（赤）光、Ｇ（緑）光およびＢ（青）光の各読取光を出射する３種のＬＥＤが配列されて構成される。このような光源２４は、ドライバ２６によって駆動され、Ｒ、ＧおよびＢの各読取光が、順次、出射される。
拡散ボックス２８は、読取光をフィルムＦの面方向で均一にするもので、例えば、内面ミラーの四角柱と、四角柱の一面を閉塞する拡散板等で構成される。
【００１８】
キャリア３０は、フィルムＦを断続的に搬送して、フィルムＦに撮影された各コマ（各画像）を、順次、所定の読取位置に搬送／保持するもので、１３５サイズ用やＡＰＳ（ＩＸ２４０）用など、フィルムＦのサイズや種類に応じた複数種が用意され、スキャナ１２の本体に着脱自在に構成される。
【００１９】
図示例において、キャリア３０は、基本的に、搬送ローラ対４０ａおよび４０ｂと、所定の読取位置において各コマの読取領域を規制するマスク４２、およびフィルムＦの押え部材としても作用するマスク４４とを有して構成される。
搬送ローラ対４０ａおよび４０ｂは、公知の（写真）フィルム用の搬送ローラ対で、所定の読取位置をフィルムＦの搬送方向に挟んで配置される。図示例のスキャナ１２は、面露光で画像読取を行うので、搬送ローラ対４０ａおよび４０ｂは、フィルムＦを長手方向に断続的に搬送することにより、フィルムＦに撮影された各コマを１コマずつ、順次、読取位置に搬送する。
【００２０】
読取位置に位置されたコマを通過した光（画像を担持する投影光）は、結像レンズユニット３２に入射する。結像レンズユニット３２は、フィルムＦの投影光を読取部３４（イメージセンサの受光面）に結像するものである。
読取部３４は、エリアＣＣＤセンサを用いて、フィルムＦに撮影された画像を光電的に読み取るもので、キャリア３０のマスク４２で規制された１コマの全面を読み取る（面露光による画像読取）。
読取部３４からの画像信号は、アンプ３６で増幅され、Ａ／Ｄ変換器３８によってデジタルの画像信号に変換されて、画像処理装置１４に出力される。
【００２１】
このようなスキャナ１２において、フィルムＦを読み取る際には、まず、キャリア３０によってフィルムＦを搬送し、読み取りを行うコマ（通常は、１コマ目か最終コマ）を読取位置に搬送する。
次いで、ドライバ２６による作用の下、例えば、光源２４のＲのＬＥＤを駆動して、Ｒ光を出射する。Ｒ光は、拡散ボックス２８でフィルムＦの面方向で光量を均一にされた後、読取位置に保持されるコマに入射、透過して、このコマに撮影された画像を担持する投影光となる。この投影光は、結像レンズユニット３２によって読取部３４に結像され、このコマのＲ画像が光電的に読み取られる。
以下、同様にして、光源２４のＧおよびＢのＬＥＤを、順次、発光して、このコマのＧ画像およびＢ画像の読み取りを行う。
【００２２】
ここで、フォトプリンタ１０においては、１コマにつき、プリント等の出力のために高解像度で画像を読み取るファインスキャンと、ファインスキャンの読取条件や画像処理装置１４（画像処理部６２等）における画像処理条件を決定するために、ファインスキャンに先立って行われる、低解像度での画像読取であるプレスキャンとの、２回の画像読取が行われる。
【００２３】
図示例においては、一例として、１コマずつ、プレスキャンとファインスキャンとを行う。１コマの読み取りを終了したら、キャリア３０は、フィルムＦを搬送して、次に読み取りを行うコマを読取位置に搬送し、同様にして、このコマの画像の読み取りを行う。
【００２４】
なお、本発明の画像処理装置１４にフィルムＦの画像データを供給するスキャナは、図示例に限定はされず、公知のスキャナが全て利用可能である。
従って、図示例のような３原色のＬＥＤ光源ではなく、白色光源と３原色のフィルタを用いて、３原色の読取光をフィルムに入射するものであってもよい。また、エリアＣＣＤセンサを用いた面露光による読み取りを行うスキャナ以外にも、ラインＣＣＤセンサを用いて、スリット走査によってフィルムＦを光電的に読み取るスキャナであってもよい。
【００２５】
前述のように、スキャナ１２から出力されたデジタルの画像信号は、画像処理装置１４に出力される。
画像処理装置１４は、スキャナ１２から送られた画像信号や、デジタルカメラ等による撮影画像の画像データ（画像ファイル）に、所定の画像処理を施して、出力用の画像データとするものである。
【００２６】
図示例において、画像処理装置１４は、基本的に、信号処理部５０、プレスキャン（フレーム）メモリ５２、ファインスキャン（フレーム）メモリ５４、入力処理部５６、セットアップ部５８、検定処理部６０、画像処理部６２、データ変換部６４ならびに６６、記憶手段６８、および、赤目補正部７０を有して構成される。
また、図１に示されるように、画像処理装置１４には、検定画像等を表示するモニタ１８、ならびに、後述する赤目補正を行うコマ（画像データ）の指定（呼び出し指示）、各種の入力指示等を行うための操作系２０（キーボード２０ａおよびマウス２０ｂ）が接続される。
【００２７】
スキャナ１２から送られた画像信号は、信号処理部５０に送られる。
信号処理部５０は、供給された画像信号に、暗時補正、ＤＣオフセット補正、シェーディング補正等の所定の信号補正を施した後、ルックアップテーブル（以下、ＬＵＴとする）等を用いてｌｏｇ変換して、画像（濃度）データとする。
信号処理部５０は、処理したプレスキャンの画像データ（以下、プレスキャンデータとする）をプレスキャンメモリ５２（以下、ｐＦＭ５２とする）に、同ファンスキャンの画像データ（以下、ファインスキャンデータとする）をファインスキャンメモリ５４（以下、ｆＦＭ５４とする）に送り、記憶させる。
【００２８】
前述のように、フォトプリンタ１０は、デジタルカメラ等で撮影された画像の画像データからもプリントの作成等を行うことができる。
デジタルカメラで撮影された画像の画像データは、通常、スマートメディアＴＭやコンパクトフラッシュＴＭ等の記録媒体に記録される。この画像データからのプリント作成等をフォトプリンタプリンタ１０で行う場合には、フォトプリンタ１０に接続された図示しない読取手段によって記録媒体を読み取り、その画像データ（画像ファイル）を入力処理部５６に送る。
【００２９】
入力処理部５６は、供給された画像データを記憶すると共に、記憶した画像データをフォトプリンタ１０に対応する画像データに変換して、この画像データをファインスキャンデータとしてｆＦＭ５４に記憶させ、また、ファインスキャンデータを間引いてプレスキャンデータを生成して、ｐＦＭ５２に記憶させる。
【００３０】
セットアップ部５８は、ｐＦＭ５２が記憶したプレスキャンデータを読み出して、ファインスキャンの読取条件を決定してスキャナ１２に送り、さらに、プレスキャンデータを用いた画像解析を行って、検定処理部６０および画像処理部６２１における画像処理条件を決定する。
なお、画像処理条件の設定方法、および、画像処理方法は、公知の方法によればよい。また、セットアップ部５８は、検定の際にオペレータによる画像の修正が入った場合には、それに応じて、検定処理部６０および画像処理部６２における画像処理条件を修正する。
【００３１】
検定処理部６０は、ｐＦＭ５２からプレスキャンデータを読み出し、所定の画像処理を施して、検定画像（仕上がり予測画像（シミュレーション画像））の画像データとし、データ変換部６４に送るものである。
検定処理部６０におけるプレスキャンデータの画像処理は、後述する画像処理部６２における画像処理に準じた検定画像の生成に対応するものであり、また、画像処理条件も、基本的に、画像処理部６２と同じである。
【００３２】
検定処理部６０で処理されたプレスキャンデータを供給されたデータ変換部６４は、このプレスキャンデータを三次元（３Ｄ）−ＬＵＴ等で変換して、ディスプレイ１８による画像表示に応じた画像データとし、検定画像として、ディスプレイ１８に表示する。
また、データ変換部６４は、後述する赤目補正モードの際に、赤目補正部７０から供給された画像データを変換して、赤目補正処理後あるいはさらに赤目補正処理前の画像をディスプレイ１８に表示する。
【００３３】
他方、画像処理部６２は、ｆＦＭ５４からファインスキャンデータを読み出し、画像処理を施して、プリント画像などの出力画像に対応する出力用画像データ（以下、出力画像データとする）として、データ変換部６６等および記憶手段６８に送るものである。
画像処理部６２で施す画像処理には、特に限定はなく、電子変倍処理（拡大／縮小処理）、階調変換、色／濃度補正、シャープネス処理（鮮鋭化処理）、覆い焼き処理（画像濃度ダイナミックレンジの圧縮処理）等が例示される。
なお、本発明においては、この画像処理部６２において、同時プリント時等における画像処理として、赤目を修正する赤目補正処理を行うようにしてもよい。この際において、赤目補正処理は、後述する方法と同様に行えばよい。
【００３４】
データ変換部６６は、画像処理部６６から供給された出力画像データを３Ｄ−ＬＵＴ等によって変換して、プリンタ２２による画像記録（感光材料（印画紙）の露光）に対応する画像データにするものである。
【００３５】
なお、本発明にかかる画像処理装置１４（フォトプリンタ１０）において、画像データは、プリンタ２２に出力するのに限定はされない。
例えば、データ変換部６６以外に、画像処理部６２が処理した出力画像データをＪＰＥＧ形式等の画像ファイルに変換する手段を設けて、此処で変換した画像データをＣＤ−Ｒ等の記録媒体に記録する手段に画像データを出力して、画像ファイルを記録した記録媒体を提供できるようにしてもよい。
【００３６】
記憶手段６８は、画像処理部６２が処理した出力画像データを、識別情報と対応付けして記憶する部位である。
記憶手段６８は、十分な容量を有するものであれば、公知の記憶手段が各種利用可能であり、また、図示例のように画像処理装置１４に内蔵されるのではなく、画像処理装置１４に接続される外部のサーバ等を利用してもよい。
【００３７】
識別情報には、特に限定はなく、出力画像データ（該当するコマ（画像））と、この出力画像データを用いて出力した画像（通常はプリント）とを、一対一で対応付けできるものであれば、各種の情報が利用可能であり、また、スキャナ１２から供給される情報の利用、自動生成された情報の取得等、公知の手段で取得して対応付けすればよい。
識別情報としては、一例として、プリントのシリアル番号、プリントのコマ番号、この画像データを読み取ったフィルムＦのＩＤ番号（以下、フィルムＩＤとする）、プリントの出力日時、顧客ＩＤ、撮影日時、プリントなどの注文情報等の１以上が例示される。
【００３８】
記憶手段６８における、各コマの出力画像データの保存期間には特に限定はなく、後述する赤目補正を行う再プリント（リメイクおよびリプリント）の主たる対象に応じて、適宜、設定すればよい。
例えば、赤目補正が主にリメイク（検品等で発見されたＮＧプリントの焼き直し）に対応する場合には、保存期間は、１日〜７日程度とすればよい。これに対し、赤目補正がリプリント（顧客による焼き増し等の依頼）にも対応する場合には、１カ月程度とすればよい。
【００３９】
なお、図示例の画像処理装置１４においては、記憶手段６８は、画像処理部６２で処理した出力画像データを記憶しているが、本発明は、これに限定はされず、記憶する画像データは、出力画像データを生成できるものであればよい。従って、図３中に点線で示すように、出力画像データに代えてファインスキャンデータを記憶してもよく、あるいは、出力画像データとファインスキャンデータの両者を記憶してもよい。さらに、これらに加え、サムネイル画像の画像データを記憶してもよい。
【００４０】
ファインスキャンデータを保存する場合には、赤目補正処理の際に、画像処理部６２における画像処理を実行する必要があり、また、画像処理条件の再設定を不要にするためには、ファンスキャンデータと共に、画像処理条件も記憶する必要がある。その反面、ファインスキャンデータを記憶しておくと、プリントサイズの変更（大幅な変更は不可）、画像の色／濃度などの変更、各種の特殊処理への対応等、再プリントの自由度が高く、各種の要求に、好適に対応することが可能になる。
出力画像データのみを記憶する場合には、プリントサイズの変更等には対応できないが、その反面、再プリントの際に赤目補正のみを行えばよく、良好な生産性を確保することができる。すなわち、赤目補正が主にリメイクに対応する場合には、同時プリント等における生産性の低下を最小限にして赤目補正を行うことができ、最も好適である。
出力画像データおよびファインスキャンデータを記憶する場合には、記憶手段６８に大きな記憶容量が必要となる反面、一方のみを記憶する際の上記不都合を解消できる。
【００４１】
いずれのデータを記憶するかは、下記の各態様の利点等を加味して、フォトプリンタ１０に要求される性能やコスト等に応じて、適宜決定すればよい。
【００４２】
赤目補正部７０は、フォトプリンタ１０に設定された赤目補正モードの際に、赤目補正を指示されたプリント（コマ（画像））の出力画像データを記憶手段６８から読み出し、赤目補正処理を施して、ディスプレイ１８に対応するデータ変換部６４に送り、また、出力指示（赤目補正ＯＫ）に応じて、赤目補正した画像データをプリンタ２２に対応するデータ変換部６６に送る。
また、赤目補正部７０は、好ましくは、赤目補正をした画像データと共に、赤目補正を施さない画像データ（記憶手段６８に記憶された出力画像データ）も、データ変換部６４に送る。
【００４３】
赤目補正モードとは、基本的に、一度プリント等を出力したコマに対する再プリント（リメイクやリプリント）に対応する作業モードで、再プリントで赤目補正処理を行うためのモードである。
図示例においては、前述の識別情報等を用いて赤目補正処理を行うプリントに対応するコマ（出力画像データ）の指定し、これに応じて、赤目補正部７０が記憶手段６８から対応する出力画像データを読み出す。ここで、赤目モードの際には、このコマの指定は、すなわち、対応する画像データの記憶手段６８からの呼び出し（読み出し）指示であり、このコマの呼び出し指示が、このコマに対する赤目補正処理実施の指示（トリガ）となり、赤目補正部７０は、記憶手段６８から読み出した出力画像データに、自動的に赤目補正処理を施す。
【００４４】
赤目補正部７０における赤目補正処理には、特に限定はなく、公知の方法が、各種、利用可能である。
一例として、記憶手段６８から読み出した画像データから、画像中の赤目を画像解析によって自動検出（赤目検出）して、さらに、その修正（赤目修正）を画像処理によって自動的に行う、全自動の赤目補正処理方法が例示される。
【００４５】
赤目検出の方法には、特に限定はなく、公知の方法が各種利用可能である。
一例として、顔抽出を行い、抽出した顔から瞳および／または赤目を検出する方法が例示される。
【００４６】
顔抽出は、公知の方法で行えばよく、例えば、エッジ検出や形状パターン検出による顔検出方法；　色相抽出や肌色抽出による顔検出方法；　候補領域を抽出して、この候補領域を小領域に分割して、各領域毎の特徴量を予め設定した顔領域パターンと照合して、その確度から顔領域を抽出する方法（特開２０００−１３７７８８号公報参照）；　顔候補領域を抽出して、各候補領域の重複度から確度を評価して顔領域を抽出する方法（特開２０００−１４９０１８号公報参照）；　顔候補領域を抽出して、各候補領域の濃度が所定の閾値に対応する値である場合に、胴体候補領域を抽出し、顔および胴体候補領域の濃度や彩度コントラストを用いて確度を評価して、顔領域を抽出する方法（特開２０００−１４８９８０号公報参照）；　等が例示される。
【００４７】
抽出した顔領域から赤目を検出する方法も、公知の方法で行えばよい。
例えば、エッジ検出、形状パターン検出、位置情報、色相情報等を用いた瞳抽出を行って、色相等から赤目を検出する方法；　エッジ検出、形状パターン検出、位置情報等を用いて目を抽出し、この目の画像データの輝度ヒストグラムから低輝度領域を抽出し、抽出した低輝度領域を収縮処理して瞳の領域を抽出し、色相等から赤目を検出する方法；　顔候補領域をｘｙ平面として各画素毎に色相等を用いた画像特徴量ｚを求め、ｘｙｚの三次元空間を設定してｚ値の山状分布からｘｙ平面を分割して、分割領域毎に形状情報や統計的画像特徴量等から赤目を検出する方法（特開２０００−７６４２７号公報参照）；　等が例示される。
【００４８】
また、検出した赤目の修正方法にも限定はなく、公知の方法で行えばよい。
例えば、検出した赤目の色変換や彩度低下によって赤目を修正する方法；　検出した赤目領域で最小明度の画素に近づけるように、他の全画素の彩度や明度を補正する方法（特開２０００−７６４２７号公報参照）；　等が例示される。
【００４９】
なお、本発明において、赤目補正部７０による赤目補正の結果は、ディスプレイ１８による画像表示、この表示画像とマウス２０ｂ等の操作部２０を用いたＧＵＩ（Ｇｒａｐｈｉｃａｌ　Ｕｓｅｒ　Ｉｎｔｅｒｆａｃｅ）による操作等によって、変更（赤目補正結果の修正）可能に構成される。
また、赤目補正処理は、補正結果の修正処理を除いては、前述のような全自動的な処理が好ましい。しかしながら、要求されるフォトプリンタ１０のコスト等や、演算処理量の低減のために、オペレータによる赤目位置の指定等、オペレータによる操作を併用する、半自動的な赤目補正処理であってもよい。あるいは、全自動的な処理と半自動的な処理を、適宜、選択できるようにしてもよい。
【００５０】
データ変換部６６で変換された画像データは、プリンタ２２に出力される。フォトプリンタ１０において、プリンタ２２は、公知のプリンタである。
一例として、画像処理装置１４（データ変換部６６）から出力された画像データに応じて、Ｒ，ＧおよびＢの各光ビームを変調して、この光ビームを主走査方向に偏向して、所定の記録位置に入射すると共に、この記録位置において、主走査方向と直交する副走査方向に感光材料（印画紙）を搬送することにより、感光材料を二次元的に走査露光して潜像を記録する焼付機、および、露光済みの感光材料を焼付機から受け取り、現像、漂白／定着、水洗等の所定の湿式現像処理を施して、乾燥して（仕上がり）プリントとして出力する現像機（プロセサ）とからなるプリンタ（プリンタ／プロセサ）が例示される。
【００５１】
以下、フォトプリンタ１０の作用を説明することにより、本発明について、より詳細に説明する。
なお、以下の説明は、同時プリント等におけるリメイクを例に行うが、リプリントでも、本発明にかかる赤目補正処理は、基本的に、同様に行えばよい。
【００５２】
スキャナ１２のキャリア３０にフィルムＦがセットされ、操作開始の指示が入力されると、キャリア３０がフィルムＦを搬送して、最初に読み取るコマ（通常１コマ目）を所定の読取位置とする。
次いで、光源２４が駆動して、Ｒ、ＧおよびＢの読取光を順次出射して、前述のように、画像を粗に読み取るプレスキャンを行い、次いで、セットアップ部５８からファインスキャンの読取条件が供給されると、再度、Ｒ、ＧおよびＢの読取光を順次出射して、ファインスキャンを行い、このコマの画像を読取部３４が読み取る。
１コマの読み取りが終了すると、キャリア３０がフィルムＦを搬送して、次のコマを読取位置に搬送し、同様に、このコマに対する画像読取を行い、フィルムＦの各コマを、１コマずつ、順次、読み取る。
【００５３】
読取部３４が読み取った画像信号は、アンプ３６が増幅した後、Ａ／Ｄ変換器３８がデジタルの画像信号に変換して、画像処理装置１４に送る。
画像処理装置１４では、まず、信号処理部５０が、供給された画像信号に暗時補正等の所定の補正処理を施した後に、ｌｏｇ変換してデジタルの画像データとし、プレスキャンデータはｐＦＭ５２に、ファインスキャンデータはｆＦＭ５４に、それぞれ、記憶させる。
【００５４】
ｐＦＭ５２にプレスキャンデータが記憶されると、セットアップ部５８が読み出し、画像解析を行って、ファインスキャンの読取条件を設定してスキャナ１２に送り、また、このコマ（画像）に対する画像処理条件を設定して、検定処理部６０および画像処理部６２に設定する。
画像処理条件が設されると、検定処理部６０はｐＦＭ５２からプレスキャンデータを読み出して画像処理を施し、検定画像の画像データとしてデータ変換部６４に送る。データ変換部６４は、供給された検定画像の画像データを表示用の画像データに変換して、ディスプレイ１８に検定画像として表示させる。
【００５５】
検定画像が表示されると、オペレータによる検定が行われ、必要に応じて画像の修正（画像処理条件の修正）が行われ、検定ＯＫであれば、このコマの出力指示が行われて、このコマに対する画像処理条件が決定し、引き続いて、次の画像（次コマ）の検定に移行する。
検定ＯＫによる出力指示に応じて、画像処理部６２が対応するコマのファインスキャンデータを読み出し、決定した画像処理条件に応じて画像処理を行い、出力用画像データとしてデータ変換部６６に送る。
また、画像処理部６２は、この出力用画像データを記憶手段６８にも送る。記憶手段６８は、供給された出力用画像データと、前述の識別情報とを対応付けして、記憶する。
【００５６】
データ変換部６６は、この出力用画像データを３Ｄ−ＬＵＴ等によって変換してプリンタ２２による画像記録に対応する画像データに変換して、プリンタ２２に送る。
【００５７】
データ変換部６６から画像データを供給されたプリンタ２２は、焼付機において、この画像データに応じて変調した光ビームで感光材料を二次元的に走査露光して潜像を形成し、次いで、現像機において、露光済みの感光材料に所定の湿式現像処理を施し、乾燥して、（仕上がり）プリントとして出力する。
【００５８】
このようにして、フォトプリンタ１０から出力されたプリントは、所定のタイミングで検品に供され、ＮＧ（不適品）と判定されたプリントについては、リプリントが行われる。
このようなリプリントにおいて、赤目補正を行う場合には、オペレータの指示により、フォトプリンタ１０が、赤目補正モードにされる。
【００５９】
赤目補正モードにおいては、まず、オペレータによって、赤目補正をするプリントに対応するコマ（画像）が指定、すなわち記憶手段６８からの対応する画像データの呼び出し指示が行われる。なお、赤目補正するコマの呼び出し指示は、複数コマを一度に行ってもよい。
赤目補正を行うコマの呼び出し指示は、前述のように、前記識別情報、具体的には、プリントのシリアル番号、プリントのコマ番号、フィルムＩＤ等をキーボード２０ａなどを用いて入力することで行えばよい。あるいは、フィルムＩＤやプリント出力日時等の入力に応じて、対応する画像データの画像をディスプレイに表示して、ＧＵＩ等によってオペレータが赤目補正処理を行うコマを呼び出し指示するようにしてもよい。
【００６０】
前述のように、赤目補正モードでは、このコマの呼び出し指示が、このコマに対する赤目補正処理実行の指示となる。従って、このコマの呼び出し指示の入力に応じて、赤目補正部７０が、記憶手段６８から、対応する出力画像データを読み出して、次いで、自動的に前述のような全自動の赤目補正処理を行い、赤目修正を施した画像データを、ディスプレイ１８用のデータ変換部６４に送る。
赤目補正部７０は、好ましくは、さらに赤目修正処理を施さない出力画像データも、データ変換部６４に送る。
【００６１】
データ変換部６４は、両画像データをディスプレイ１８による表示に対応する画像データに変換すると共に、両者を並べた画像としてディスプレイ６４表示させる。この表示画面の一例の模式図を図４に示す。
オペレータが赤目補正結果の確認を行い、さらに赤目補正を行う瞳がある場合には、マウス２０ｂ等を用いて「追加」ボタンを押下（クリック）する。これに応じて、赤目補正部７０は、再度、赤目検出および赤目修正を行い、修正した画像をデータ変換部６４に送る。
また、赤目補正結果の修正が必要である場合には、「修正」ボタンを押下して、例えば、レタッチソフト等と同様にして、マウス２０ｂ等を用いて赤目補正結果の修正（赤目補正画像の修正）を行う。なお、「修正」ボタンの押下は、赤目補正結果の削除（補正前に戻す）の指示であってもよい。
【００６２】
全自動での赤目補正が適正である場合、また、修正等により赤目補正が適正になった場合には、オペレータが「確定」ボタンを押下する。これに応じて、赤目補正部７０は、赤目補正を施した画像データをデータ変換部６６に送る。なお、「テスト」ボタンは、テストプリントの指示である。
これ以降は、同時プリントの際と同様に処理が行われ、データ変換部６６で変換された画像データがプリンタ２２に供給され、プリンタ２２において、このコマのプリント（リプリント）が出力される。
【００６３】
なお、上述のような赤目補正の確認や修正は、１コマずつ行ってもよく（随時確認方式）、あるいは、複数コマの確認を一度に行ってもよく（一括確認方式）、両確認方式を切り替え可能にしてもよい。
【００６４】
従来のフォトプリンタでは、リプリントやリメイク等の再プリントで赤目補正処理を行う場合にも、フィルムＦの画像読取すなわちプレスキャンおよび本スキャン（デジタルカメラからのプリントでは、撮影画像データの再読取）を行い、画像処理条件の設定〜画像処理〜赤目補正処理を行う必要があり、操作性および生産性（処理効率）が悪いのは、前述のとおりである。
これに対し、出力用画像データやファインスキャンデータを記憶しておき、赤目補正指示に応じて、対応する画像データを読み出して赤目補正処理を行う本発明によれば、再プリントでの赤目補正を行う際にも、フィルムの画像読取を行う必要がなく、操作性や生産性を向上できる。さらに、上記実施例のように、出力用画像データを記憶しておけば、画像処理条件の設定や色／濃度補正等の画像処理も不要にして、赤目補正処理を施した再プリントが可能であり、赤目補正処理を実施しての同時プリントの生産性を、より向上できる。
【００６５】
以上、本発明の赤目補正方法および画像処理装置について詳細に説明したが、本発明は上記実施例に限定はされず、本発明の要旨を逸脱しない範囲において、各種の改良および変更を行ってもよいのはもちろんである。
【００６６】
例えば、以上の例では、赤目補正モードを設定して、このモードの際には、再プリントするコマ（画像）の指定（呼び出し指示）が、このコマに対する赤目補正処理の実施指示となっていた。しかしながら、本発明は、これに限定はされず、赤目補正モードを有さず、コマの指定および赤目補正処理の指示によって前述のような赤目補正を行うようにしてもよい。あるいは、赤目補正モードを有する態様であっても、これ以外の作業モードの際に入力された、コマの指定および赤目補正処理の指示に応じて、適宜、赤目補正処理を行うようにしてもよい。
【００６７】
【発明の効果】
以上、詳細に説明したように、本発明によれば、再プリントの際の赤目補正処理を、画像の再読み取り等を不要にして効率よく行うことができ、デジタルフォトプリンタにおいて、赤目補正処理の操作性や生産性を向上できる。
【図面の簡単な説明】
【図１】本発明の赤目補正方法の一例を実施する本発明の画像処理装置の一例を有するデジタルフォトプリンタの一例のブロック図である。
【図２】図１に示されるデジタルフォトプリンタのスキャナの概念図である。
【図３】図１に示されるデジタルフォトプリンタの画像処理装置のブロック図である。
【図４】赤目補正結果の確認画面の一例の概念図である。
【符号の説明】
１０　（デジタル）フォトプリンタ
１２　スキャナ
１４　画像処理装置
１８　ディスプレイ
２０　操作系
２２　プリンタ
２４　光源
２６　ドライバ
２８　拡散ボックス
３０　キャリア
３２　結像レンズユニット
３４　読取部
３６　アンプ
３８　Ａ／Ｄ変換器
４０　搬送ローラ対
４２，４４　マスク
５０　信号処理部
５２　ｐＦＭ（プレスキャンメモリ）
５４　ｆＦＭ（ファインスキャンメモリ）
５６　入力処理部
５８　セットアップ部
６０　検定処理部
６２　画像処理部
６４，６６　データ変換部
６８　記憶手段
７０　赤目補正部
【図１】
2004096439.tif 000003
【図２】
2004096439.tif 000004
【図３】
2004096439.tif 000005
【図４】
2004096439.tif 000006